(57)【要約】      （修正有）【課題】温度安定性が強化された屋外ディスプレイ装置に関する。【解決手段】背面に駆動ボードが装着されたディスプレイパネル１０、ディスプレイパネルに結合された背面ブラケット２０、および背面ブラケットを収容し、ディスプレイパネルの前面に位置する透明光学部材６０が結合されており、空気が流入される流入口５１０と空気が排出される排出口５２０が形成されている背面ハウジング５０を含み、流入口は、ハウジングの背面の下部に形成されており、排出口はハウジングの背面の上部に形成されており、背面ブラケットと、ハウジングの間に存在する第１スペース、ディスプレイパネルの背面と背面ブラケットの間に存在する第２スペース、ディスプレイパネルの前面と透明光学部材の間に存在する第３スペースから空気の流れを誘導する。【選択図】図３
2019095729.tif 000002
【特許請求の範囲】
【請求項１】
背面に駆動ボードが装着されたディスプレイパネル；
前記駆動ボードが装着されたディスプレイパネルに結合した背面ブラケット;および
前記ディスプレイパネルに結合した背面ブラケットを有し、前記ディスプレイパネルの前面に位置する透明光学部材が結合されており、空気が流入する流入口と空気が排出する排出口が形成されているハウジングを含み、
前記流入口は、前記ハウジングの背面の下部に形成されており、前記排出口は前記ハウジングの背面の上部に形成されており、
前記背面ブラケットと前記ハウジングとの間に存在する第１スペース、前記ディスプレイパネルの背面と前記背面ブラケットの間に存在する第２スペース、前記ディスプレイパネルの前面と前記透明光学部材との間に存在する第３スペースに空気の流れを誘導して、内部温度を安定化させる、屋外ディスプレイ装置。
【請求項２】
内部の熱を外部に排出する排出モードにおいて、
前記背面ブラケットの上部に備えられた循環ファンと前記ハウジングに形成された排出口の位置に対応するように、前記背面ブラケットに備えられた排出ファンが作動して、前記流入口を介して前記ハウジングの背面の下部から流入した空気は、前記第１スペースから上昇しながら熱を吸収してから前記第２スペース、第３スペースに分岐して、
前記第２スペースに分岐した空気は、下降しながら熱を吸収してから、前記排出口を介して前記ハウジングの背面の上部から排出され、
前記第３スペースに分岐した空気は、下降しながら熱を吸収してから前記第２スペースに移動し、前記第２スペースに移動した空気は上昇しながら熱を吸収してから前記排出口を介して前記ハウジングの背面の上部から排出されることを特徴とする、請求項１に記載の屋外ディスプレイ装置。
【請求項３】
内部の熱を循環させる循環モードにおいて、
前記ハウジングに形成された排出口の位置に対応するように、前記背面ブラケットに備えられた排出ファンの作動が停止し、前記背面ブラケットの上部に備えられた循環ファンが作動し、
内部の空気は、前記第１スペースから上昇しながら熱を吸収してから前記第２スペース及び前記第３スペースに分岐し、
前記第２スペースに分岐した空気は、下降しながら熱を吸収してから、前記第１スペースに移動し、前記第１スペースに移動した空気は上昇しながら熱を吸収してから前記第２スペースおよび前記第３スペースに再び分岐し、
前記第３スペースに分岐した空気は、下降しながら熱を吸収してから、前記第１スペースに移動し、前記第１スペースに移動した空気は上昇しながら熱を吸収してから前記第２スペースおよび前記第３スペースに再び分岐することを特徴とする、請求項１に記載の屋外ディスプレイ装置。
【請求項４】
前記ディスプレイパネルと結合される前記背面ブラケットの下部領域には、前記第２スペース、第３スペースから前記第１スペースへの空気の流れを誘導する下部空気の穴が形成されており、
前記下部空気の穴は、前記循環モードにおいて、空気の流通経路を提供することを特徴とする、請求項３に記載の屋外ディスプレイ装置。
【請求項５】
前記背面ブラケットには、前記ディスプレイパネルに装着された駆動ボードを覆う駆動ボードカバーが結合されていることを特徴とする、請求項１に記載の屋外ディスプレイ装置。
【請求項６】
駆動ボードカバーの下部には、駆動ボードカバーの穴が形成されており、
前記第１スペースから上昇する空気は、前記駆動ボードカバーの穴に流入され駆動ボードカバーの内側空間の熱を吸収する第１空気と駆動ボードカバーの穴に流入されず、前記駆動ボードカバーの外側空間の熱を吸収する第２空気に分岐して上昇することを特徴とする、請求項５に記載の屋外ディスプレイ装置。
【請求項７】
前記背面ブラケットには、前記背面ブラケットに備えられた排出ファンを覆う排出ファンカバーが結合されていることを特徴とする、請求項２に記載の屋外ディスプレイ装置。
【請求項８】
前記排出ファンカバーには穴が形成されており、
前記排出モードにおいて、前記第２スペースおよび前記第３スペースからの空気は前記排出ファンカバーの穴を介して前記第１スペースに移動した後、前記排出口を介して排出されることを特徴とする、請求項７に記載の屋外ディスプレイ装置。
【請求項９】
前記ディスプレイパネルと前記透明光学部材は、光学接合（Ｏｐｔｉｃａｌ  Ｃｏｎｔａｃｔ  Ｂｏｎｄｉｎｇ）されていることを特徴とする、請求項１に記載の屋外ディスプレイ装置。
【請求項１０】
前記ハウジングは
前記透明光学部材が結合された前面ハウジング;および
前記流入口が下部に形成されており、前記排出口が上部に形成されている背面ハウジングを含むことを特徴とする、請求項１に記載の屋外ディスプレイ装置。
【請求項１１】
背面に駆動ボードが装着されたディスプレイパネル；
前記駆動ボードが装着されたディスプレイパネルに結合した背面ブラケット;および
前記ディスプレイパネルに結合された背面ブラケットを用い、前記ディスプレイパネルの前面に位置する透明光学部材が結合されており、空気が流入する流入口と空気が排出する排出口が形成されているハウジングを含み、
前記流入口は、前記ハウジングの底面に形成されており、前記排出口は、前記ハウジングの側面に形成されており、
前記ディスプレイパネルの前面と前記透明光学部材との間に存在する第１スペース、前記ディスプレイパネルの背面と前記背面ブラケットの間に存在する第２スペース、前記背面ブラケットと前記ハウジングとの間に存在する第３スペースに空気の流れを誘導して、内部の温度を安定化させる、屋外ディスプレイ装置。
【請求項１２】
内部の熱を外部に排出する排出モードにおいて、
前記背面ブラケットの上部に備えられた循環ファンと、前記背面ブラケットに備えられた排出ファンが作動し、
前記流入口を介して前記ハウジングの底面から流入した空気は、前記第１スペースから上昇しながら熱を吸収してから前記第２スペース、第３スペースに分岐し、
前記第２スペースに分岐した空気は、下降しながら熱を吸収してから、前記排出口を介して前記ハウジングの側面に排出され、
前記第３スペースに分岐した空気は、下降しながら熱を吸収してから前記第２スペースに移動し、前記第２スペースに移動した空気は上昇しながら熱を吸収してから前記排出口を介して前記ハウジングの側面に排出することを特徴とする、請求項１１に記載の屋外ディスプレイ装置。
【請求項１３】
内部の熱を循環させる循環モードにおいて、
前記背面ブラケットに備えられた排出ファンの作動が停止し、前記背面ブラケットの上部に備えられた循環ファンが作動して、
内部の空気は、前記第１スペースから上昇しながら熱を吸収してから前記第２スペースおよび前記第３スペースに分岐し、
前記第２スペースに分岐した空気は、下降しながら熱を吸収してから、前記第１スペースに移動し、前記第１スペースに移動した空気は上昇しながら熱を吸収してから前記第２スペースおよび前記第３スペースに再び分岐し、
前記第３スペースに分岐した空気は、下降しながら熱を吸収してから、前記第１スペースに移動し、前記第１スペースに移動した空気は上昇しながら熱を吸収してから前記第２スペースおよび前記第３スペースに再び分岐することを特徴とする、請求項１１に記載の屋外ディスプレイ装置。
【請求項１４】
前記ディスプレイパネルと結合される前記背面ブラケットの下部領域には、前記第２スペース、第３スペースから前記第１スペースへの空気の流れを誘導する下部空気の穴が形成されており、
前記下部空気の穴は、前記循環モードにおいて、空気の流通経路を提供することを特徴とする、請求項１３に記載の屋外ディスプレイ装置。
【請求項１５】
前記背面ブラケットには、前記ディスプレイパネルに装着された駆動ボードを覆う駆動ボードカバーが結合されていることを特徴とする、請求項１１に記載の屋外ディスプレイ装置。
【請求項１６】
駆動ボードカバーの下部には、駆動ボードカバーの穴が形成されており、
前記第１スペースから上昇する空気は、前記駆動ボードカバーの穴に流入して駆動ボードカバーの内側空間の熱を吸収する第１空気と駆動ボードカバーの穴に流入されず、前記駆動ボードカバーの外側空間の熱を吸収する第２空気に分岐して上昇することを特徴とする、請求項１５に記載の屋外ディスプレイ装置。
【請求項１７】
前記背面ブラケットには、前記背面ブラケットに備えられた排出ファンを覆う排出ファンカバーが結合されていることを特徴とする、請求項１２に記載の屋外ディスプレイ装置。
【請求項１８】
前記排出ファンカバーには、排気ファンカバーの穴が形成されており、
前記排出モードにおいて、前記第２スペースおよび前記第３スペースからの空気は前記排出ファンカバーの穴を介して前記第１スペースに移動した後、前記排出口を介して排出されることを特徴とする、請求項１７に記載の屋外ディスプレイ装置。
【請求項１９】
前記ディスプレイパネルと前記透明光学部材は、光学接合（Ｏｐｔｉｃａｌ  Ｃｏｎｔａｃｔ  Ｂｏｎｄｉｎｇ）していることを特徴とする、請求項１１に記載の屋外ディスプレイ装置。
【請求項２０】
前記ハウジングは
前記透明光学部材が結合した前面ハウジング;および
前記流入口が底面に形成されており、前記排出口が側面に形成されている背面ハウジングを含むことを特徴とする、請求項１１に記載の屋外ディスプレイ装置。
【発明の詳細な説明】
【技術分野】
【０００１】
本発明は、装置内部の温度を調節する過程において空気が装置内部の主な発熱部分を均一に循環するようにすることで、装置内部全体の温度分布を一定に保つことができ、装置内部の温度を目標値に補正するために要求される時間を短縮することができ、空気の流れを誘導するファンの作動時間を減らしながらも装置内部の温度を目標値に正確に到達させることができる温度安定性が強化された屋外のディスプレイ装置に関する。
【背景技術】
【０００２】
一般に、屋外ディスプレイ装置においては、屋外で使用される広告ユニットの屋外ディスプレイ装置の内部から発生する熱と直射日光によるディスプレイパネルの前面部および製品内部の温度上昇により誤作動が発生し、製品寿命が短くなる問題がある。
【０００３】
従来の技術は、これらの問題を解決するために、製品内部から発生する熱を冷ますために、製品の下の部分や後に圧縮機が取り付けられたエアコンを設け、強制的に製品を冷やす方法を採用している。
【０００４】
しかし、従来の技術は、製品内部に備えられるエアコンなどの追加部品による価格の負担が増し、実際に画面に表示される部分に比べ、製品のサイズが大きくなる問題がある。
【先行技術文献】
【特許文献】
【０００５】
韓国特許第１０-１１５３３５１号公報
【発明の概要】
【発明が解決しようとする課題】
【０００６】
本発明の技術的課題は、装置内部の温度を調節する過程において空気が装置内部の主な発熱部分を均一に循環するようにすることで、装置内部全体の温度分布を一定に保つことができ、装置内部の温度を目標値に補正するために必要とする時間を短縮することができ、空気の流れを誘導するファンの作動時間を短縮しながら装置内部の温度を目標値に正確に到達させることができるようにする温度安定性が強化された屋外ディスプレイ装置を提供することである。
【０００７】
また、本発明の技術的課題は、屋外で使用される広告のモニターの内部から発生する熱、直射日光によるディスプレイパネルの前面部と製品内部の温度上昇を抑制して、製品の誤作動や寿命短縮を防ぎ、製品内部の温度と外部の温度の差を減らし、製品内部の温度を均等に保つことができる温度安定性が強化された屋外ディスプレイ装置を提供することである。
【０００８】
また、本発明の技術的課題は、屋外ディスプレイ装置の内部に高値でサイズが大きいエアコンを備えずに改善された空気の流通経路を介して装置内部の熱を外部に排出することで、屋外ディスプレイ装置の温度安定性を強化し、単価を下げると同時に、コンパクトな製品を提供することである。
【課題を解決するための手段】
【０００９】
これらの技術的課題を解決するための本発明の一側面に係る温度安定性が強化された屋外ディスプレイ装置は、背面に駆動ボードが装着されたディスプレイパネル、前記駆動ボードが装着されたディスプレイパネルに結合された背面ブラケット、および前記ディスプレイパネルに結合された背面ブラケットを収容し、前記ディスプレイパネルの前面に位置する透明光学部材が結合し、空気が流入する流入口と空気が排出する排出口が形成されているハウジングを含み、前記流入口は、前記ハウジングの背面の下部に形成されており、前記排出口は、前記ハウジングの背面の上部に形成されており、前記背面ブラケットと前記ハウジングとの間に存在する第１スペース、前記ディディスプレイパネルの背面と前記背面ブラケットの間に存在する第２スペース、前記ディスプレイパネルの前面と前記透明光学部材との間に存在する第３スペースにより空気の流れを誘導して、内部の温度を安定させる。
【００１０】
本発明の一側面に係る温度安定性が強化された屋外ディスプレイ装置において、内部の熱を外部に排出する排出モードでは、前記背面ブラケットの上部に備えられた循環ファンと前記ハウジングに形成された排出口の位置に対応するように、前記背面ブラケットに備えられた排出ファンが作動して、前記流入口を介して前記ハウジングの背面の下部から流入した空気は、前記第１スペースから上昇し、熱を吸収してから前記第２スペース、第３スペースに分岐され、前記第２スペースに分岐された空気は、下降しながら熱を吸収してから前記排出口を介して前記ハウジングの背面の上部から排出し、前記第３スペースに分岐された空気は、下降しながら熱を吸収し、前記第２スペースに移動し、前記第２スペースに移動した空気は上昇しながら熱を吸収し、前記排出口を介して前記ハウジングの背面の上部から排出することを特徴とする。
【００１１】
本発明の一側面に係る温度安定性が強化された屋外ディスプレイ装置において、内部の熱を循環する循環モードでは、前記ハウジングに形成された排出口の位置に対応するように、前記背面ブラケットに備えられた排出ファンの作動が停止し、前記背面ブラケットの上部に備えられた循環ファンが作動して、内部の空気は、前記第１スペースから上昇し、熱を吸収してから前記第２スペース及び前記第３スペースに分岐され、前記第２スペースに分岐された空気は、下降しながら熱を吸収してから前記第１スペースに移動し、前記第１スペースに移動した空気は上昇しながら熱を吸収してから前記第２スペースおよび前記第３スペースに再び分岐し、前記第３スペースに分岐された空気は、下降しながら熱を吸収してから前記第１スペースに移動し、前記第１スペースに移動した空気は上昇しながら熱を吸収してから前記第２スペースおよび前記第３スペースに再び分岐することを特徴とする。
【００１２】
本発明の一側面に係る温度安定性が強化された屋外ディスプレイ装置において、前記ディスプレイパネルと結合する前記背面ブラケットの下部領域に前記第２スペース、第３スペースから前記第１スペースへの空気の流れを誘導する下部空気の穴が形成されており、前記下部空気の穴は、前記循環モードにおいて、空気の流れの通路を提供することを特徴とする。
【００１３】
本発明の一側面に係る温度安定性が強化された屋外ディスプレイ装置において、前記背面ブラケットには、前記ディスプレイパネルに装着した駆動ボードを覆う駆動ボードカバーが結合されていることを特徴とする。
【００１４】
本発明の一側面に係る温度安定性が強化された屋外ディスプレイ装置において、前記駆動ボードカバーの下部には、駆動ボードカバー穴が形成されていて、前記第１スペースから上昇する空気は、前記駆動ボードカバー穴に流入して駆動ボードカバーの内側空間の熱を吸収する第１の空気と駆動ボードカバーに流入されず、前記駆動ボードカバーの外側空間の熱を吸収する第２空気に分岐して上昇することを特徴とする。
【００１５】
本発明の一側面に係る温度安定性が強化された屋外のディスプレイ装置において、前記背面ブラケットには、前記背面ブラケットに備えられた排出ファンを覆う排出ファンカバーが結合していることを特徴とする。
【００１６】
本発明の一側面に係る温度安定性が強化された屋外ディスプレイ装置において、前記排出ファンカバーには、排気ファンカバー穴が形成されており、前記排出モードにおいて、前記第２スペース及び前記第３スペースからの空気は、前記排気ファンカバー穴を介して前記第１スペースに移動した後、前記排出口を介して排出されることを特徴とする。
【００１７】
本発明の一側面に係る温度安定性が強化された屋外ディスプレイ装置において、前記ディスプレイパネルと前記透明光学部材は、光学接合（Ｏｐｔｉｃａｌ  Ｃｏｎｔａｃｔ  Ｂｏｎｄｉｎｇ）することを特徴とする。
【００１８】
本発明の一側面に係る温度安定性が強化された屋外ディスプレイ装置において、前記ハウジングは、前記透明光学部材が結合したフロントハウジングおよび、前記流入口が下部に形成されており、前記排出口が上部に形成されている背面ハウジングを含むことを特徴とする。
【００１９】
本発明の一側面に係る温度安定性が強化された屋外ディスプレイ装置は、背面に駆動ボードが装着したディスプレイパネル、前記駆動ボードが装着されたディディスプレイパネルに結合した背面ブラケット及び前記ディスプレイパネルに結合した背面ブラケットを収容し、前記ディスプレイパネルの前面に位置する透明光学部材が結合されており、空気が流入する流入口と空気が排出する排出口が形成されているハウジングを含み、前記流入口は、前記ハウジングの底面に形成されており、前記排出口は前記ハウジングの側面に形成されており、前記ディスプレイパネルの前面と前記透明光学部材の間に存在する第１スペース、前記ディスプレイパネルの背面と前記背面ブラケットの間に存在する第２スペース、前記背面ブラケットと前記ハウジングとの間に存在する第３スペースに空気の流れを誘導して、内部の温度を安定させる。
【００２０】
本発明の一側面に係る温度安定性が強化された屋外ディスプレイ装置において、内部の熱を外部に排出する排出モードにおいて、前記背面ブラケットの上部に備えられた循環ファンと、前記背面ブラケットに備えられた排出ファンが作動して、前記流入口を介して前記ハウジングの底面から流入した空気は、前記第１スペースから上昇しながら熱を吸収してから前記第２スペース、第３スペースに分岐され、上記の第２スペースに分岐された空気は、下降しながら熱を吸収してから前記排出口を介して前記ハウジングの側面に排出され、前記第３スペースに分岐された空気は、下降しながら熱を吸収してから前記第２スペースに移動し、前記第２スペースに移動した空気は上昇しながら熱を吸収してから前記排出口を介して前記ハウジングの側面に排出することを特徴とする。
【００２１】
本発明の一側面に係る温度安定性が強化された屋外ディスプレイ装置において、内部の熱を循環させる循環モードにおいて、前記背面ブラケットに備えされた排出ファンの作動が停止され、前記背面ブラケットの上部に備えられた循環ファンが作動し、内部の空気は、前記第１スペースから上昇しながら熱を吸収してから前記第２スペース及び前記第３スペースに分岐し、前記第２スペースに分岐した空気は、下降しながら熱を吸収してから、前記第１スペースに移動し、前記第１スペースに移動した空気は上昇しながら熱を吸収してから前記第２スペース及び前記第３スペースに再び分岐し、前記第３スペースに分岐した空気は、下降しながら熱を吸収してから前記第１スペースに移動し、前記第１スペースに移動した空気は上昇しながら熱を吸収してから前記第２スペース及び前記第３スペースに再び分岐することを特徴とする。
【００２２】
本発明の一側面に係る温度安定性が強化された屋外ディスプレイ装置において、前記ディスプレイパネルと結合される前記背面ブラケットの下部領域に前記第２スペース、第３スペースから前記第１スペースに空気流れを誘導する下部空気の穴が形成されており、前記下部空気の穴は、前記順環モードにおいて、空気の流通通路を提供することを特徴とする。
【００２３】
本発明の一側面に係る温度安定性が強化された屋外ディスプレイ装置において、前記背面ブラケットには、前記ディスプレイパネルに装着された駆動ボードを覆う駆動ボードカバーが結合されていることを特徴とする。
【００２４】
本発明の一側面に係る温度安定性が強化された屋外ディスプレイ装置において、前記駆動ボードカバーの下部には、駆動ボードカバー穴が形成されており、前記第１スペースから上昇する空気は、前記駆動ボードカバーの穴に流入して駆動ボードカバーの内側空間の熱を吸収する第１空気と駆動ボードカバーの穴に流入されず、前記駆動ボードカバーの外側空間の熱を吸収する第２空気に分岐されて上昇することを特徴とする。
【００２５】
本発明の一側面に係る温度安定性が強化された屋外ディスプレイ装置において、前記背面ブラケットには、前記背面ブラケットに備えられた排出ファンを覆う排出ファンカバーが結合されていることを特徴とする。
【００２６】
本発明の一側面に係る温度安定性が強化された屋外ディスプレイ装置において、前記排出ファンカバーには、排気ファンカバーの穴が形成されており、前記排出モードにおいて、前記第２スペース及び前記第３スペースからの空気は、排気ファンカバーの穴を介して前記第１スペースに移動した後、前記排出口を介して排出されることを特徴とする。
【００２７】
本発明の一側面に係る温度安定性が強化された屋外ディスプレイ装置において、前記ディスプレイパネルと前記透明光学部材は、光学接合（Ｏｐｔｉｃａｌ  Ｃｏｎｔａｃｔ  Ｂｏｎｄｉｎｇ）していることを特徴とする。
【００２８】
本発明の一側面に係る温度安定性が強化された屋外ディスプレイ装置において、前記ハウジングは、前記透明光学部材が結合された前面ハウジングと、前記流入口が底面に形成されており、前記排出口が側面に形成されている背面ハウジングを含むことを特徴とする。
【発明の効果】
【００２９】
本発明によると、装置内部の温度を調節する過程において空気が装置内部の主な発熱部分を均一に循環しているので、装置内部の全体的な温度分布を一定に保つことができ、装置内部の温度を目標値に補正するために必要とされる時間を短縮することができ、空気の流れを誘導するファンの作動時間を短縮しながらも、装置内部の温度を目標値に正確に到達できるようにする温度安定性が強化された屋外ディスプレイ装置が提供される効果がある。
【００３０】
また、屋外で使用される広告用モニターの内部から発生する熱と直射日光によるディスプレイパネルの前面部および製品内部の温度上昇を抑制して、第品の誤作動や寿命短縮を防ぎ、製品内部の温度と外部の温度の差を減らし、製品内部の温度を均等に保つことができる温度安定性が強化された屋外ディスプレイ装置が提供される効果がある。
【００３１】
また、屋外ディスプレイ装置の内部に高価で、サイズが大きいエアコンを備えず、改善された空気流通の経路を介して装置内部の熱を外部に排出することにより、屋外装置ディスプレイ装置の温度安定性を強化し、単価を下げると同時にコンパクトな製品を提供することができる。
【図面の簡単な説明】
【００３２】
【図１】本発明の第１実施形態に係る温度安定性が強化された屋外ディスプレイ装置の分解斜視図である。
【図２】本発明の第１実施形態に係る温度安定性が強化された屋外ディスプレイ装置の結合断面図である。
【図３】本発明の第１実施形態に係る温度安定性が強化された屋外ディスプレイ装置において、内部の温度が上昇する場合の空気の流れを説明するための図である。
【図４】本発明の第１実施形態に係る温度安定性が強化された屋外ディスプレイ装置において、内部の温度が下降する場合の空気の流れを説明するための図である。
【図５】本発明の第１実施形態及び第２実施形態に係るハウジングを構成する前面ハウジングの例示的な形状を示す図である。
【図６】本発明の第１実施形態に係るハウジングを構成する背面ハウジングの例示的な背面形状を示す図である。
【図７】本発明の第１実施形態に係るハウジングを構成する背面ハウジングの例示的な前面形状を示す図である。
【図８】本発明の第１実施形態及び第２実施形態に係るディスプレイパネルと背面ブラケットの結合体の例示的な前面形状を示す図である。
【図９】本発明の第１実施形態及び第２実施形態に係るディスプレイパネルと背面ブラケットの結合体の例示的な背面形状を示す図である。
【図１０】図９の正面図である。
【図１１】図１０に排出ファンカバーが結合された例示的な形状を示す図である。
【図１２】本発明の第２実施形態に係る温度安定性が強化された屋外ディスプレイ装置の分解斜視図である。
【図１３】本発明の第２実施形態に係る温度安定性が強化された屋外ディスプレイ装置の側面結合断面図である。
【図１４】本発明の第２実施形態に係る温度安定性が強化された屋外ディスプレイ装置の側面分離断面図である。
【図１５】本発明の第２実施形態に係る温度安定性が強化された屋外ディスプレイ装置の底面分離断面図である。
【図１６】本発明の第２実施形態に係る温度安定性が強化された屋外ディスプレイ装置において、図１４の側面分離断面図を用いて、内部温度が上昇する場合の空気の流れを説明するための図である。
【図１７】本発明の第２実施形態に係る温度安定性が強化された屋外ディスプレイ装置において、図１５の底面分離断面図を用いて、内部温度が上昇する場合の空気の流れを説明するための図である。
【図１８】本発明の第２実施形態に係る温度安定性が強化された屋外ディスプレイ装置において、図１５の底面分離断面図を用いて、内部温度が下降する場合の空気の流れを説明するための図である。
【図１９】本発明の第２実施形態に係るハウジングを構成する背面ハウジングの例示的な背面形状を示す図である。
【図２０】本発明の第２実施形態に係るハウジングを構成する背面ハウジングの例示的な前面形状を示した図である。
【発明を実施するための形態】
【００３３】
本明細書に開示されている本発明の実施形態に係る特定の構造または機能の説明は、単に本発明の概念による実施形態を説明するための目的として示されたものとして、本発明の実施形態に係る実施例は、さまざまな形態で実施されることができ、本明細書に説明された実施形態に限定されない。
【００３４】
本発明の実施形態に係る実施例は、様々な変更を加えることができ、さまざまな形態を持つことができるので、実施例を図面に例示し、本明細書で詳細に説明する。しかし、これは本発明の実施形態に係る実施例を、特定した開示形態に限定するものではなく、本発明の思想および技術範囲に含まれるすべての変更、均等物、または代替物を含む。
【００３５】
図１は、本発明の第１実施形態に係る温度安定性が強化された屋外ディスプレイ装置の分解斜視図であり、図２は、本発明の第１の実施形態に係る温度安定性が強化された屋外ディスプレイ装置の結合断面図であり、図５は、ハウジングを構成する前面ハウジングの例示的な形状を示す図であり、図６は、ハウジングを構成する背面ハウジングの例示的な背面形状を示す図であり、図７は、背面ハウジングの例示的な前面形状を示す図であり、図８は、ディスプレイパネルと背面ブラケットの結合体の例示的な前面形状を示す図であり、図９は、ディスプレイパネルと背面ブラケットの結合体の例示的な背面形状を示す図であり、図１０は、図９の正面図であり、図１１は、図１０に排出ファンカバーが結合された例示的な形状を示した図ある。
【００３６】
図１、図２、図５乃至図１１を参照すると、本発明の第１実施形態に係る温度安定性が強化された屋外ディスプレイ装置は、ディスプレイパネル（１０）は、背面ブラケット（２０）、ハウジング（３０）と、透明光学部材（６０）を含む。
【００３７】
詳細な構成要素を説明する前に、第１実施形態の技術的な特徴を先に説明する。
【００３８】
本発明の第１実施形態に係る温度安定性が強化された屋外ディスプレイ装置は、背面下部の流入、背面上部の排出方式の装置であって、背面ブラケット（２０）とハウジング（３０）、具体的には、背面ハウジング（５０）との間に存在する第１スペース、ディスプレイパネル（１０）の背面と背面ブラケット（２０）との間に存在する第２スペース、ディスプレイパネル（１０）の前面と透明光学部材（６０）との間に存在する第３スペースに空気の流れを誘導して、装置の内部温度を安定するように構成されている。このような構成によると、空気が屋外ディスプレイ装置の主な発熱部分を均一に循環するため、装置内部の温度を一定に維持し、装置の温度安定性を大幅に向上させることができる。
【００３９】
以下では、そのための詳細な構成要素を説明する。
【００４０】
ディスプレイパネル（１０）は、ユーザーに視覚情報を提供する機能を有する。
【００４１】
これらのディスプレイパネル（１０）の背面と前面からかなりの量の熱が発生するため、これに関する対応が必要である。
【００４２】
具体的には、ディスプレイパネル（１０）の背面には、ディスプレイパネル（１０）を駆動するための電子装置が実装された駆動ボードとセットトップボックスなどを含むその他の電子装置（２６０）が装着されており、これらは作動中にかなりの量の熱を放出するため、これに対する対応が必要である。
【００４３】
また、ディスプレイパネル（１０）の前面は、自ら熱を放出すると同時に外部の光にさらされている。つまり、ディスプレイパネル（１０）の前面は、自ら放出する熱だけでなく、後述する透明光学部材（６０）を通過して、ディスプレイパネル（１０）の前面に到達した外部の光によってディスプレイパネル（１０）の前面が加熱されるため、それに対する対応が必要である。
【００４４】
背面ブラケット（２０）は、駆動ボードが装着されたディスプレイパネル（１０）に結合されている。
【００４５】
ハウジング（３０）は、ディスプレイパネル（１０）に結合された背面ブラケット（２０）を用い、ハウジング（３０）の前面には、ディスプレイパネル（１０）の前面に位置する透明光学部材（６０）が結合されている。
【００４６】
例えば、ハウジング（３０）は、透明光学部材（６０）が結合された前面ハウジング（４０）および流入口（５１０）と排出口（５２０）が形成された背面ハウジング（５０）を含むことができる。
【００４７】
具体的な例としては、このハウジング（３０）の背面の下部、すなわち、背面ハウジング（５０）の下部には、外部の空気が流入する流入口（５１０）が形成されており、ハウジング（３０）の背面の上部、すなわち、背面ハウジング（５０）の上部には、内部の空気を排出する排出口（５２０）が形成されている。排出口（５２０）と流入口（５１０）には、異物流入防止のためのフィルタを有することができる。
【００４８】
ディスプレイパネル（１０）の前面に結合された透明光学部材（６０）は、ディスプレイパネル（１０）を保護する機能を有する。例えば、透明光学部材（６０）の素材としてガラスなどが採用されることができるが、これに限定されず、透明性を有する任意の素材を透明光学部材（６０）として採用することができる。
【００４９】
例えば、ディスプレイパネル（１０）と透明光学部材（６０）は、光学接合（Ｏｐｔｉｃａｌ  Ｃｏｎｔａｃｔ  Ｂｏｎｄｉｎｇ）するように構成されることができる。光学接合は、接合面の分子間の結合を誘導して強固に接合を維持する方式である。これらの光学接合を採用すると、ディスプレイパネル（１０）と透明光学部材（６０）の接合のために接着剤や機械的方法を使用しないので、接合による変形や変位、ストレスを誘発しない。また、接合強度が非常に高く、光学物質の境界面が消える効果を得ることができ、長時間に渡って接着力が維持され、環境の面でも優れている。
【００５０】
以下では、本発明の第１実施形態に係る温度安定性が強化された屋外ディスプレイ装置の具体的な作動を排出モードと循環モードに分けて説明する。
【００５１】
図３は、本発明の第１実施形態に係る温度安定性が強化された屋外ディスプレイ装置において、内部温度が上昇する場合の空気の流れを説明するための図である。     
【００５２】
図３を追加で参照すると、装置内部の熱を外部に排出する排出モードにおける空気の流れが開示されている。
【００５３】
排出モードでは、循環ファン（２１０）と排出ファン（２２０）がすべて作動する。
【００５４】
循環ファン（２１０）は、背面ブラケット（２０）の上部に設置されており、排出ファン（２２０）は、背面ハウジング（５０）に形成された排出口（５２０）の位置に対応するように、背面ブラケット（２０）に備えられている。
【００５５】
まず、循環ファン（２１０）の作動によって流入口（５１０）を介して背面ハウジング（５０）の背面の下部から流入した空気は、第１スペースから上昇しながら熱を吸収してから第２スペース、第３スペースに分岐する。第１スペースは、背面ブラケット（２０）と背面ハウジング（５０）との間に存在する空間であり、第２スペースはディスプレイパネル（１０）の背面と背面ブラケット（２０）との間に存在する空間であり、第３スペースはディスプレイパネル（１０）の前面と透明光学部材（６０）との間に存在する空間である。
【００５６】
第２スペースに分岐した空気は、下降しながら第２スペース、すなわち、ディスプレイパネル（１０）の背面と背面ブラケット（２０）との間の空間に存在する熱を吸収する。第２スペースの熱を吸収した空気は、排出ファン（２２０）の作動によって排出口（５２０）に誘導されて、外部に排出される。
【００５７】
第３スペースに分岐した空気は、下降しながら第３スペース、すなわち、ディスプレイパネル（１０）の前面と透明光学部材（６０）との間の空間に存在する熱を吸収する。第３スペースの熱を吸収した空気は、排出ファン（２２０）の作動により、第２スペースに移動し、第２スペースに移動した空気は上昇しながら第２スペースの熱を吸収してから排出口（５２０）を介して背面ハウジング（５０）の上部から外部に排出される。
【００５８】
排出モードは、装置内部の温度が適した数値以上に上昇した場合、温度を下げて装置内部の温度が適正値を維持するための構成である。
【００５９】
排出モードでのこのような構成によると、空気が屋外ディスプレイ装置の主な発熱部分、すなわち、背面ブラケット（２０）と背面ハウジング（５０）との間に存在する第１スペース、ディスプレイパネル（１０）の背面と背面ブラケット（２０）との間に存在する第２スペース、ディスプレイパネル（１０）の前面と透明光学部材（６０）との間に存在する第３スペースを均一に循環するので、装置内部の全体的な温度分布を均一化し、装置内部の温度を目標値に補正するために必要とされる時間が短縮され、循環ファン（２１０）と排出ファン（２２０）の作動時間を減らしながら装置内部の温度を目標値に正確に到達させることができる。
【００６０】
図４は、本発明の第１実施形態に係る温度安定性が強化された屋外ディスプレイ装置において、内部温度が下降する場合の空気の流れを説明するための図である。
【００６１】
図４をさらに参照すると、装置内部の熱を循環させる循環モードにおける空気の流れが開示されている。
【００６２】
循環モードでは、排出ファン（２２０）の作動が停止され、循環ファン（２１０）だけが作動する。
【００６３】
まず、循環ファン（２１０）の作動によって内部の空気は、第１スペースから上昇しながら熱を吸収してから第２スペース及び第３スペースに分岐する。
【００６４】
第２スペースに分岐した空気は、下降しながら熱を吸収してから第１スペースに移動し、第１スペースに移動した空気は上昇しながら熱を吸収してから第２スペース及び第３スペースに再び分岐する。
【００６５】
第３スペースに分岐した空気は、下降しながら熱を吸収してから第１スペースに移動し、第１スペースに移動した空気は上昇しながら熱を吸収してから第２スペース及び第３スペースに再び分岐する。
【００６６】
循環モードは、装置内部の温度が適した数値以下に下降した場合、温度を高め装置内部の温度が適正値を維持するための構成である。
【００６７】
循環モードでのこのような構成によると、装置内部の熱を用いて全体の内部温度を上昇させる過程において、空気が屋外ディスプレイ装置の主な発熱部分、すなわち、背面ブラケット（２０）と背面ハウジング（５０）との間に存在する第１スペース、ディスプレイパネル（１０）の背面と背面ブラケット（２０）との間に存在する第２スペース、ディスプレイパネル（１０）の前面と透明光学部材（６０）との間に存在する第３スペースを均一に循環するので、装置内部全体の温度分布を均一化に保ち、装置内部の温度を目標値に補正するために必要とされる時間が短縮され、循環ファン（２１０）の作動時間を減らしながら装置内部の温度を目標値に正確に到達させることができる。
【００６８】
例えば、ディスプレイパネル（１０）と結合する背面ブラケット（２０）の下部領域には、第２スペース、第３スペースから第１スペースへの空気の流れを誘導する下部空気の穴（２９０）が形成されており、この下部空気の穴（２９０）は、循環モードにおいて、空気の流通経路を提供することができる。
【００６９】
例えば、背面ブラケット（２０）には、ディスプレイパネル（１０）に装着された駆動ボードを覆う駆動ボードカバー（２３０）が結合され、駆動ボードカバー（２３０）の下部には、駆動ボードカバー穴（２３２）が形成されるように構成することができる。このような構成によると、第１スペースから上昇する空気は、駆動ボードカバー穴（２３２）に流入されて駆動ボードカバー（２３０）の内側空間の熱を吸収する第１空気と駆動ボードカバー穴（２３２）に流入されず駆動ボードカバー（２３０）の外側空間の熱を吸収する第２空気に分岐して上昇するので、ディスプレイパネル（１０）の背面の熱をより効果的に吸収することができる。
【００７０】
例えば、背面ブラケット（２０）には、背面ブラケット（２０）に備えられた排出ファン（２２０）を覆う排出ファンカバー（２４０）が結合され、排出ファンカバー（２４０）には、排出ファンカバー穴（２４２）が形成されるように構成することができる。このような構成によると、排出モードにおいて、第２スペース及び第３スペースからの空気は排出ファンカバー穴（２４２）を介して第１スペースに移動した後、排出口（５２０）を介して排出されるため、空気の排出過程が安定かつ効果的に実行される。
【００７１】
図１２は、本発明の第２実施形態に係る温度安定性が強化された屋外ディスプレイ装置の分解斜視図であり、図１３は、本発明の第２実施形態に係る温度安定性が強化された屋外ディスプレイ装置の側面結合断面図であり、図１４は、本発明の第２実施形態に係る温度安定性が強化された屋外ディスプレイ装置の側面分離断面図であり、図１５は、本発明の第２実施形態に係る温度安定性が強化された屋外ディディスプレイ装置の底面分離断面図であり、図１９は、ハウジングを構成する背面ハウジングの例示的な背面形状を示す図であり、図２０は、ハウジングを構成する背面ハウジングの例示的な前面形状を示した図である。
【００７２】
図１２乃至図１５、図１９、図２０、ハウジングを構成する前面ハウジングの例示的な形状を示した図５、ディスプレイパネルと背面ブラケットの結合体の例示的な前面形状を示した図８、ディスプレイパネルと背面ブラケットの結合体の例示的な背面形状を示した図９、図９の正面図である図１０、図１０に排出ファンカバーが結合された例示的な形状を示した図１１を参照すると、本発明の第２実施形態に係る温度安定性が強化された屋外ディスプレイ装置は、ディスプレイパネル（１０）、背面ブラケット（２０）、ハウジング（３０）および、透明光学部材（６０）を含む。
【００７３】
詳細な構成要素を説明する前に、第２実施形態の技術的特徴を先に説明する。
【００７４】
本発明の第２実施形態に係る温度安定性が強化された屋外ディスプレイ装置は、底面下部流入、側面排出方式の装置として、背面ブラケット（２０）とハウジング（３０）、具体的には、背面ハウジング（５０）との間に存在する第１スペース、ディスプレイパネル（１０）の背面と背面ブラケット（２０）との間に存在する第２スペース、ディスプレイパネル（１０）の前面と透明光学部材（６０）との間に存在する第３スペースに空気の流れを誘導して、装置の内部温度を安定化するように構成されている。このような構成によると、空気が屋外ディスプレイ装置の主な発熱部分を均一に循環するので、装置内部の温度を均一化し、装置の温度安定性を大幅に向上することができる。
【００７５】
以上で詳細に説明した第１実施形態と第２実施形態の違いは、以下のとおりである。
【００７６】
第１実施形態は、流入口（５１０）が背面ハウジング（５０）の下部に形成されており、排出口（５２０）は、背面ハウジング（５０）の上部に形成され、背面流入、背面排出の方法で作動する。
【００７７】
それに対し、第２実施形態は、流入口（５６０）が背面ハウジング（５０）の底面に形成されており、排出口（５８０）は、背面ハウジング（５０）の側面に形成され、底面流入、側面排出の方法で作動する。
【００７８】
以下では、説明の重複を避けるために、第１実施形態との相違点に焦点を合わせて、第２実施形態を説明する。もちろん、第１実施形態に開示された同じ構成に関する説明は、第２実施形態にも適用することができる。
【００７９】
本発明の第２実施形態に係る温度安定性が強化された屋外ディスプレイ装置の具体的な作動を排出モードと循環モードに分けて説明する。
【００８０】
図１６は、本発明の第２実施形態に係る温度安定性が強化された屋外ディスプレイ装置において、図１４の側面分離断面図を用いて、内部温度が上昇する場合の空気の流れを説明するための図であり、図１７は、本発明の第２実施形態に係る温度安定性が強化された屋外ディスプレイ装置において、図１５の底面分離断面図を用いて、内部温度が上昇する場合の空気の流れを説明するための図である。
【００８１】
図１６および図１７をさらに参照すると、装置内部の熱を外部に排出する排気モードにおける空気の流れが開示されている。
【００８２】
排出モードでは、循環ファン（２１０）と排出ファン（２２０）がすべて作動する。
【００８３】
循環ファン（２１０）は、背面ブラケット（２０）の上部に設けられ、排出ファン（２２０）は、背面ハウジング（５０）に形成された排出フィルタ（５７０）、排出口（５８０）の位置に対応するよう背面ブラケット（２０）に備えられている。
【００８４】
まず、循環ファン（２１０）の作動によって流入口（５６０）を介して背面ハウジング（５０）の底面から流入した空気は、第１スペースから上昇しながら熱を吸収してから第２スペース、３スペースに分岐する。第１スペースは、背面ブラケット（２０）と背面ハウジング（５０）との間に存在する空間であり、第２スペースは、ディスプレイパネル（１０）の背面と背面ブラケット（２０）との間に存在する空間であり、第３スペースは、ディスプレイパネル（１０）の前面と透明光学部材（６０）との間に存在する空間である。
【００８５】
第２スペースに分岐したい空気は、下降しながら第２スペース、すなわち、ディスプレイパネル（１０）の背面と背面ブラケット（２０）との間の空間に存在する熱を吸収する。第２スペースの熱を吸収した空気は、排出ファン（２２０）の作動によって排出フィルター（５７０）、排出口（５８０）に誘導されて、背面ハウジング（５０）の側面から外部に排出される。
【００８６】
第３スペースに分岐した空気は、下降しながら第３スペース、すなわち、ディスプレイパネル（１０）の前面と透明光学部材（６０）との間の空間に存在する熱を吸収する。第３スペースの熱を吸収した空気は、排出ファン（２２０）の作動により、第２スペースに移動し、第２スペースに移動した空気は上昇しながら第２スペースの熱を吸収してから排出フィルタ（５７０）、排出口（５８０）を介して背面ハウジング（５０）の側面から外部に排出される。
【００８７】
排出モードは、装置内部の温度が適した数値以上に上昇した場合、温度を下げて装置内部の温度を均一に保つための構成である。
【００８８】
排出モードにおけるこのような構成によると、空気が屋外ディスプレイ装置の主な発熱部分、すなわち、背面ブラケット（２０）と背面ハウジング（５０）との間に存在する第１スペース、ディスプレイパネル（１０）の背面と背面ブラケット（２０）との間に存在する第２スペース、ディスプレイパネル（１０）の前面と透明光学部材（６０）との間に存在する第３スペースを均一に循環するので、装置内部全体の温度分布を均一化し、装置内部の温度を目標値に補正するために必要とされる時間が短縮され、循環ファン（２１０）と排出ファン（２２０）の作動時間を減らしながら装置内部の温度を目標値に正確に到達させることができる。
【００８９】
図１８は、本発明の第２実施形態に係る温度安定性が強化された屋外ディスプレイ装置において、図１５の底面分離断面図を用い、内部温度が下降する場合の空気の流れを説明するための図である。
【００９０】
図１８をさらに参照すると、装置内部の熱を循環させる循環モードにおける空気の流れが開示されている。
【００９１】
循環モードでは、排出ファン（２２０）の作動が停止され、循環ファン（２１０）だけが作動する。
【００９２】
まず、循環ファン（２１０）の作動によって内部の空気は、第１スペースから上昇しながら熱を吸収してから第２スペースおよび第３スペースに分岐する。
【００９３】
第２スペースに分岐した空気は、下降しながら熱を吸収してから第１スペースに移動し、第１スペースに移動した空気は上昇しながら熱を吸収してから第２スペースおよび第３スペースに再び分岐する。
【００９４】
第３スペースに分岐した空気は、下降しながら熱を吸収してから第１スペースに移動し、第１スペースに移動した空気は上昇しながら熱を吸収してから第２スペースおよび第３スペースに再び分岐する。
【００９５】
循環モードは、装置内部の温度が適正値以下に下降した場合、温度を高めて装置内部の温度を均一に保つための構成である。
【００９６】
循環モードにおけるこのような構成によると、装置内部の熱を用いて全体の内部温度を上昇させる過程において、空気が屋外ディスプレイ装置の主な発熱部分、すなわち、背面ブラケット（２０）と背面ハウジング（５０）との間に存在する第１スペース、ディスプレイパネル（１０）の背面と背面ブラケット（２０）との間に存在する第２スペース、ディスプレイパネル（１０）の前面と透明光学部材（６０）との間に存在する第３スペースを均一に循環するので、装置内部全体の温度分布を均一化し、装置内部の温度を目標値に補正するために必要とされる時間が短縮され、循環ファン（２１０）の作動時間を減らしながら装置内部の温度を目標値に正確に到達させることができる。
【００９７】
例えば、ディスプレイパネル（１０）と結合する背面ブラケット（２０）の下部領域には、第２スペース、第３スペースから第１スペースへの空気の流れを誘導する下部空気の穴（２９０）が形成されており、この下部空気の穴（２９０）は、循環モードにおいて空気の流通経路を提供することができる。
【００９８】
例えば、背面ブラケット（２０）には、ディスプレイパネル（１０）に装着した駆動ボードを覆う駆動ボードカバー（２３０）が結合され、駆動ボードカバー（２３０）の下部には、駆動ボードカバーの穴（２３２）が形成されるように構成することができる。このような構成によると、第１スペースから上昇する空気は、駆動ボードカバーの穴（２３２）に流入されて駆動ボードカバー（２３０）の内側空間の熱を吸収する第１空気と駆動ボードカバーの穴（２３２）に流入されず、駆動ボードカバー（２３０）の外側空間の熱を吸収する第２空気に分岐して上昇するので、ディスプレイパネル（１０）の背面に熱をより効果的に吸収することができる。
【００９９】
例えば、背面ブラケット（２０）には、背面ブラケット（２０）に備えられた排出ファン（２２０）を覆う排出ファンカバー（２４０）が結合され、排出ファンカバー（２４０）には、排出ファンカバーの穴（２４２）が形成されるように構成することができる。このような構成によると、排出モードにおいて、第２スペースおよび第３スペースからの空気は排出ファンカバーの穴（２４２）を介して第１スペースに移動した後、排出口（５８０）を介して排出されるため、空気の排出過程が安定かつ効果的に行われる。
【０１００】
例えば、空気の流入力を高めるための手段として、流入ファン（５５０）が流入口（５６０）に追加で設けられるが、これは必須の構成ではなく選択的な事項である。
【０１０１】
以上で詳細に説明したように、本発明によると、装置内部の温度を調節する過程において、空気が装置内部の主な発熱部分を均一に循環するので、装置内部全体の温度分布を均一に保つことができ、装置内部の温度を目標値に補正するために必要とされる時間を短縮することができ、空気の流れを誘導するファンの作動時間を減らしながら装置内部の温度を目標値に正確にが到達させることができるようにする温度安定性が強化された屋外ディスプレイ装置が提供される効果がある。
【０１０２】
また、屋外で使用される広告用モニターの内部から発生する熱と直射日光によるディスプレイパネルの前面部と製品内部の温度上昇を抑制して、第品の誤作動や寿命短縮を防ぎ、製品内部の温度と外部温度の差を減らし、製品内部の温度を均一にすることができる温度安定性が強化された屋外ディスプレイ装置が提供される効果がある。
【０１０３】
また、屋外ディスプレイ装置の内部に高価で、サイズの大きいエアコンを備えずに、改善された空気の流通経路を介して装置内部の熱を外部に排出することができ、屋外ディスプレイ装置の温度安定性を強化し、単価を下げると同時にコンパクトな製品を提供することができる。
【図１】
2019095729.tif 000003
【図２】
2019095729.tif 000004
【図３】
2019095729.tif 000005
【図４】
2019095729.tif 000006
【図５】
2019095729.tif 000007
【図６】
2019095729.tif 000008
【図７】
2019095729.tif 000009
【図８】
2019095729.tif 000010
【図９】
2019095729.tif 000011
【図１０】
2019095729.tif 000012
【図１１】
2019095729.tif 000013
【図１２】
2019095729.tif 000014
【図１３】
2019095729.tif 000015
【図１４】
2019095729.tif 000016
【図１５】
2019095729.tif 000017
【図１６】
2019095729.tif 000018
【図１７】
2019095729.tif 000019
【図１８】
2019095729.tif 000020
【図１９】
2019095729.tif 000021
【図２０】
2019095729.tif 000022
【手続補正書】
【提出日】平成31年3月1日(2019.3.1)
【手続補正１】
【補正対象書類名】特許請求の範囲
【補正対象項目名】全文
【補正方法】変更
【補正の内容】
【特許請求の範囲】
【請求項１】
背面に駆動ボードが装着されたディスプレイパネル；
前記駆動ボードが装着されたディスプレイパネルに結合した背面ブラケット;および
前記ディスプレイパネルに結合した背面ブラケットを有し、前記ディスプレイパネルの前面に位置する透明光学部材が結合されており、空気が流入する流入口と空気が排出する排出口が形成されているハウジングを含み、
前記流入口は、前記ハウジングの背面の下部に形成されており、前記排出口は前記ハウジングの背面の上部に形成されており、
前記背面ブラケットと前記ハウジングとの間に存在する第１スペース、前記ディスプレイパネルの背面と前記背面ブラケットの間に存在する第２スペース、前記ディスプレイパネルの前面と前記透明光学部材との間に存在する第３スペースに空気の流れを誘導して、内部温度を安定化させ、
内部の熱を循環させる循環モードにおいて、
前記ハウジングに形成された排出口の位置に対応するように、前記背面ブラケットに備えられた排出ファンの作動が停止し、前記背面ブラケットの上部に備えられた循環ファンが作動し、
内部の空気は、前記第１スペースから上昇しながら熱を吸収してから前記第２スペース及び前記第３スペースに分岐し、
前記第２スペースに分岐した空気は、下降しながら熱を吸収してから、前記第１スペースに移動し、前記第１スペースに移動した空気は上昇しながら熱を吸収してから前記第２スペースおよび前記第３スペースに再び分岐し、
前記第３スペースに分岐した空気は、下降しながら熱を吸収してから、前記第１スペースに移動し、前記第１スペースに移動した空気は上昇しながら熱を吸収してから前記第２スペースおよび前記第３スペースに再び分岐することを特徴とする、屋外ディスプレイ装置。
【請求項２】
内部の熱を外部に排出する排出モードにおいて、
前記背面ブラケットの上部に備えられた循環ファンと、前記ハウジングに形成された排出口の位置に対応するように前記背面ブラケットに備えられた前記排出ファンと、が作動して、前記流入口を介して前記ハウジングの背面の下部から流入した空気は、前記第１スペースから上昇しながら熱を吸収してから前記第２スペース、第３スペースに分岐して、
前記第２スペースに分岐した空気は、下降しながら熱を吸収してから、前記排出口を介して前記ハウジングの背面の上部から排出され、
前記第３スペースに分岐した空気は、下降しながら熱を吸収してから前記第２スペースに移動し、前記第２スペースに移動した空気は上昇しながら熱を吸収してから前記排出口を介して前記ハウジングの背面の上部から排出されることを特徴とする、請求項１に記載の屋外ディスプレイ装置。
【請求項３】
前記ディスプレイパネルと結合される前記背面ブラケットの下部領域には、前記第２スペース、第３スペースから前記第１スペースへの空気の流れを誘導する下部空気の穴が形成されており、
前記下部空気の穴は、前記循環モードにおいて、空気の流通経路を提供することを特徴とする、請求項１又は２に記載の屋外ディスプレイ装置。
【請求項４】
前記背面ブラケットには、前記ディスプレイパネルに装着された駆動ボードを覆う駆動ボードカバーが結合されていることを特徴とする、請求項１から３のいずれか一項に記載の屋外ディスプレイ装置。
【請求項５】
駆動ボードカバーの下部には、駆動ボードカバーの穴が形成されており、
前記第１スペースから上昇する空気は、前記駆動ボードカバーの穴に流入され駆動ボードカバーの内側空間の熱を吸収する第１空気と駆動ボードカバーの穴に流入されず、前記駆動ボードカバーの外側空間の熱を吸収する第２空気に分岐して上昇することを特徴とする、請求項４に記載の屋外ディスプレイ装置。
【請求項６】
前記背面ブラケットには、前記背面ブラケットに備えられた前記排出ファンを覆う排出ファンカバーが結合されていることを特徴とする、請求項１から５のいずれか一項に記載の屋外ディスプレイ装置。
【請求項７】
前記排出ファンカバーには穴が形成されており、
内部の熱を外部に排出する排出モードにおいて、前記第２スペースおよび前記第３スペースからの空気は前記排出ファンカバーの穴を介して前記第１スペースに移動した後、前記排出口を介して排出されることを特徴とする、請求項６に記載の屋外ディスプレイ装置。
【請求項８】
前記ハウジングは
前記透明光学部材が結合された前面ハウジング;および
前記流入口が下部に形成されており、前記排出口が上部に形成されている背面ハウジングを含むことを特徴とする、請求項１から７のいずれか一項に記載の屋外ディスプレイ装置。
【請求項９】
背面に駆動ボードが装着されたディスプレイパネル；
前記駆動ボードが装着されたディスプレイパネルに結合した背面ブラケット;および
前記ディスプレイパネルに結合した背面ブラケットを有し、前記ディスプレイパネルの前面に位置する透明光学部材が結合されており、空気が流入する流入口と空気が排出する排出口が形成されているハウジングを含み、
前記流入口は、前記ハウジングの背面の下部に形成されており、前記排出口は前記ハウジングの背面の上部に形成されており、
前記背面ブラケットには、前記背面ブラケットに備えられた排出ファンを覆う、穴が形成された排出ファンカバーが結合されており、
前記背面ブラケットと前記ハウジングとの間に存在する第１スペース、前記ディスプレイパネルの背面と前記背面ブラケットの間に存在する第２スペース、前記ディスプレイパネルの前面と前記透明光学部材との間に存在する第３スペースに空気の流れを誘導して、内部温度を安定化させ、
内部の熱を外部に排出する排出モードにおいて、
前記背面ブラケットの上部に備えられた循環ファンと、前記ハウジングに形成された排出口の位置に対応するように前記背面ブラケットに備えられた前記排出ファンと、が作動して、前記流入口を介して前記ハウジングの背面の下部から流入した空気は、前記第１スペースから上昇しながら熱を吸収してから前記第２スペース、第３スペースに分岐して、
前記第２スペースに分岐した空気は、下降しながら熱を吸収してから、前記排出ファンカバーの穴を介して前記第１スペースに移動した後、前記排出ファンカバーの穴と重なる位置の前記排出口を介して前記ハウジングの背面の上部から排出され、
前記第３スペースに分岐した空気は、下降しながら熱を吸収してから前記第２スペースに移動し、前記第２スペースに移動した空気は上昇しながら熱を吸収してから、前記排出ファンカバーの穴を介して前記第１スペースに移動した後、前記排出口を介して前記ハウジングの背面の上部から排出されることを特徴とする屋外ディスプレイ装置。
【請求項１０】
背面に駆動ボードが装着されたディスプレイパネル；
前記駆動ボードが装着されたディスプレイパネルに結合した背面ブラケット;および
前記ディスプレイパネルに結合された背面ブラケットを用い、前記ディスプレイパネルの前面に位置する透明光学部材が結合されており、空気が流入する流入口と空気が排出する排出口が形成されているハウジングを含み、
前記流入口は、前記ハウジングの底面に形成されており、前記排出口は、前記ハウジングの側面に形成されており、
前記ディスプレイパネルの前面と前記透明光学部材との間に存在する第１スペース、前記ディスプレイパネルの背面と前記背面ブラケットの間に存在する第２スペース、前記背面ブラケットと前記ハウジングとの間に存在する第３スペースに空気の流れを誘導して、内部の温度を安定化させ、
内部の熱を循環させる循環モードにおいて、
前記背面ブラケットに備えられた排出ファンの作動が停止し、前記背面ブラケットの上部に備えられた循環ファンが作動して、
内部の空気は、前記第１スペースから上昇しながら熱を吸収してから前記第２スペースおよび前記第３スペースに分岐し、
前記第２スペースに分岐した空気は、下降しながら熱を吸収してから、前記第１スペースに移動し、前記第１スペースに移動した空気は上昇しながら熱を吸収してから前記第２スペースおよび前記第３スペースに再び分岐し、
前記第３スペースに分岐した空気は、下降しながら熱を吸収してから、前記第１スペースに移動し、前記第１スペースに移動した空気は上昇しながら熱を吸収してから前記第２スペースおよび前記第３スペースに再び分岐することを特徴とする、屋外ディスプレイ装置。
【請求項１１】
内部の熱を外部に排出する排出モードにおいて、
前記背面ブラケットの上部に備えられた循環ファンと、前記背面ブラケットに備えられた排出ファンが作動し、
前記流入口を介して前記ハウジングの底面から流入した空気は、前記第１スペースから上昇しながら熱を吸収してから前記第２スペース、第３スペースに分岐し、
前記第２スペースに分岐した空気は、下降しながら熱を吸収してから、前記排出口を介して前記ハウジングの側面に排出され、
前記第３スペースに分岐した空気は、下降しながら熱を吸収してから前記第２スペースに移動し、前記第２スペースに移動した空気は上昇しながら熱を吸収してから前記排出口を介して前記ハウジングの側面に排出することを特徴とする、請求項１０に記載の屋外ディスプレイ装置。
【請求項１２】
前記ディスプレイパネルと結合される前記背面ブラケットの下部領域には、前記第２スペース、第３スペースから前記第１スペースへの空気の流れを誘導する下部空気の穴が形成されており、
前記下部空気の穴は、前記循環モードにおいて、空気の流通経路を提供することを特徴とする、請求項１０又は１１に記載の屋外ディスプレイ装置。
【請求項１３】
前記背面ブラケットには、前記ディスプレイパネルに装着された駆動ボードを覆う駆動ボードカバーが結合されていることを特徴とする、請求項１０から１２のいずれか一項に記載の屋外ディスプレイ装置。
【請求項１４】
駆動ボードカバーの下部には、駆動ボードカバーの穴が形成されており、
前記第１スペースから上昇する空気は、前記駆動ボードカバーの穴に流入して駆動ボードカバーの内側空間の熱を吸収する第１空気と駆動ボードカバーの穴に流入されず、前記駆動ボードカバーの外側空間の熱を吸収する第２空気に分岐して上昇することを特徴とする、請求項１３に記載の屋外ディスプレイ装置。
【請求項１５】
前記背面ブラケットには、前記背面ブラケットに備えられた前記排出ファンを覆う排出ファンカバーが結合されていることを特徴とする、請求項１０から１４のいずれか一項に記載の屋外ディスプレイ装置。
【請求項１６】
前記排出ファンカバーには、排気ファンカバーの穴が形成されており、
内部の熱を外部に排出する排出モードにおいて、前記第２スペースおよび前記第３スペースからの空気は前記排出ファンカバーの穴を介して前記第１スペースに移動した後、前記排出口を介して排出されることを特徴とする、請求項１５に記載の屋外ディスプレイ装置。
【請求項１７】
前記ハウジングは
前記透明光学部材が結合した前面ハウジング;および
前記流入口が底面に形成されており、前記排出口が側面に形成されている背面ハウジングを含むことを特徴とする、請求項１０から１６のいずれか一項に記載の屋外ディスプレイ装置。
【請求項１８】
背面に駆動ボードが装着されたディスプレイパネル；
前記駆動ボードが装着されたディスプレイパネルに結合した背面ブラケット;および
前記ディスプレイパネルに結合された背面ブラケットを用い、前記ディスプレイパネルの前面に位置する透明光学部材が結合されており、空気が流入する流入口と空気が排出する排出口が形成されているハウジングを含み、
前記流入口は、前記ハウジングの底面に形成されており、前記排出口は、前記ハウジングの側面に形成されており、
前記背面ブラケットには、前記背面ブラケットに備えられた排出ファンを覆う、穴が形成された排出ファンカバーが結合されており、
前記ディスプレイパネルの前面と前記透明光学部材との間に存在する第１スペース、前記ディスプレイパネルの背面と前記背面ブラケットの間に存在する第２スペース、前記背面ブラケットと前記ハウジングとの間に存在する第３スペースに空気の流れを誘導して、内部の温度を安定化させ、
内部の熱を外部に排出する排出モードにおいて、
前記背面ブラケットの上部に備えられた循環ファンと、前記背面ブラケットに備えられた前記排出ファンが作動し、
前記流入口を介して前記ハウジングの底面から流入した空気は、前記第１スペースから上昇しながら熱を吸収してから前記第２スペース、第３スペースに分岐し、
前記第２スペースに分岐した空気は、下降しながら熱を吸収してから、前記排出ファンカバーの穴を介して前記第１スペースに移動した後、前記排出ファンカバーの穴と重なる位置の前記排出口を介して前記ハウジングの側面に排出され、
前記第３スペースに分岐した空気は、下降しながら熱を吸収してから前記第２スペースに移動し、前記第２スペースに移動した空気は上昇しながら熱を吸収してから、前記排出ファンカバーの穴を介して前記第１スペースに移動した後、前記排出口を介して前記ハウジングの側面に排出されることを特徴とする屋外ディスプレイ装置。